(57)【要約】      （修正有）【課題】別にスイッチを増設しなくても、便利に電源をオン／オフすることができるスイッチソケットを提供する。【解決手段】スイッチソケットは、ハウジング、複数のソケット２０、複数の定位部品３０、複数の導電フレーム５０を備え、ハウジングの上表面には内部と連通する収容槽１１１を陥没状に形成し、各ソケット２０は前後スライド式に、ハウジングの収容槽１１１内に設置する。又、各ソケット２０はソケット本体２２と複数の導電端子２４を設置し、各導電端子２４はそれぞれ導電ブロック２５を備え、複数の定位部品３０はハウジング上に挿入して配設する。各定位部品３０の上端は上向きに、ハウジングの収容槽１１１内に弾性を保持して収容設置され、複数の導電フレーム５０はハウジング内に係合され、導電ブロック２５は導電フレーム５０と選択的に接触或いは離れ、後方へ、或いは前方へとソケット２０をスライドさせると、導電ブロック２５と導電フレーム５０はオン又はオフとなる。【選択図】図２
0003162908.tif 000002
【実用新案登録請求の範囲】
【請求項１】
ハウジング、複数のソケット、複数の定位部品、複数の導電フレームを備え、
前記ハウジングの上表面には、内部と連通する収容槽を陥没状に形成し、
前記複数のソケットは、前後スライド式に、前記ハウジングの収容槽内に設置し、前記各ソケットには、複数の導電端子を設置し、前記各導電端子には、それぞれ導電ブロックを設置し、
前記複数の定位部品は、前記ハウジング上にそれぞれ挿入して設置し、前記各定位部品の上端は上向きに、前記ハウジングの収容槽内に弾性を保持して収容設置され、
前記複数の導電フレームは、前記ハウジング内に係合され、前記導電ブロックは、前記導電フレームと選択的に接触或いは離れることを特徴とするスイッチソケット。
【請求項２】
請求項１記載のスイッチソケットにおいて、前記各ソケットは、ソケット上蓋、ソケット本体、ソケット下蓋を備え、
前記ソケット本体の頂点部には、収容設置槽を開設し、前記ソケット本体は、前記収容設置槽の両側、及び前記ソケット本体両側壁の下部に、共に係合保持槽を開設し、
前記ソケット上蓋の左右両側には共に、係合ブロックを延伸して形成し、前記各係合ブロックと前記係合保持槽とは相互に係合し、こうして前記ソケット上蓋を、前記ソケット本体頂点部の収容設置槽内に固定し、前記ソケット下蓋両側壁の上部は、逆フックブロックを上方へと延伸して形成し、前記逆フックブロックは、前記ソケット本体側壁の係合保持槽内に係合され、こうして前記ソケット下蓋は、前記ソケット本体上に係合して固定されることを特徴とするスイッチソケット。
【請求項３】
請求項２記載のスイッチソケットにおいて、前記ソケット本体には、プッシュ部を突出状に設置することを特徴とするスイッチソケット。
【請求項４】
請求項２記載のスイッチソケットにおいて、前記ソケット本体の底部には、第一定位槽と第二定位槽を開設し、前記定位部品は、前記第一定位槽或いは前記第二定位槽に選択的に定位され、しかも前記ソケットに接触することを特徴とするスイッチソケット。
【請求項５】
請求項４記載のスイッチソケットにおいて、前記定位部品は、中空柱、弾性部品、球体を備え、
前記弾性部品は、前記中空柱内に係合され、
前記球体は、前記弾性部品の一端に設置され、しかもその一部は前記中空柱外へと突出し、前記球体は、前記第一定位槽或いは前記第二定位槽内に係合されることを特徴とするスイッチソケット。
【請求項６】
請求項２記載のスイッチソケットにおいて、前記ハウジングは、上ハウジングと下ハウジングを備え、
前記各収容槽は、前記上ハウジング上に陥没状に形成し、前記収容槽の底壁には、下方へと延伸する定位筒を設置し、前記各定位部品は、前記各定位筒内にそれぞれ対応して設置されることを特徴とするスイッチソケット。
【請求項７】
請求項６記載のスイッチソケットにおいて、前記下ハウジング上には、複数のスライド板を設置し、
前記各ソケット下蓋は、前後にスライドして、前記スライド板上に設置されることを特徴とするスイッチソケット。
【請求項８】
請求項６記載のスイッチソケットにおいて、前記スイッチソケットはさらに、前記上ハウジングと前記下ハウジングとの間に設置する固定板を備え、
前記上ハウジングと前記下ハウジング内には共に、複数の係合板をそれぞれ設置し、前記各係合板は、係合槽を形成し、
前記固定板は、前記係合槽内に係合して固定し、前記固定板上には、平行して延伸する複数対の組み立て板を設置し、
前記導電フレームは、前記固定板上に組み立て、
前記各対の組み立て板は、前記各係合板の両側に係合して設置されることを特徴とするスイッチソケット。
【考案の詳細な説明】
【技術分野】
【０００１】
本考案はソケットに関し、特にスイッチソケットに関する。
【背景技術】
【０００２】
従来のソケットにおいて節電効果を達成するためには、電気製品のプラグを挿入した状態でその電気製品を使用しないなら、プラグをソケットから抜き、或いはソケット上のスイッチをオフにしなければ、節電効果を達成することはできない。プラグを抜けば節電効果は達成されるが、不便であるばかりか、ソケットにほこりがたまり易くなり、導電不良などの安全に関する心配も存在する。
【０００３】
上記した問題を解決するため、スイッチ式ソケットが開発された。スイッチ式ソケットは、複数のソケット、及びソケットにそれぞれ対応するオンオフスイッチを備える。オンオフスイッチを押すことで、ソケット上の電気製品プラグの通電と電源切断を制御でき、便利に節電の効果を達成することができる。
しかし、上記従来のスイッチ式ソケットにおいては、各ソケットすべてに各１個のスイッチを設置しなければならないため、コストが比較的高いという欠点がある。
【考案の概要】
【考案が解決しようとする課題】
【０００４】
本考案が解決しようとする課題は、電源を便利にオフにできるスイッチソケットを提供することである。
【課題を解決するための手段】
【０００５】
上記課題を解決するため、本考案は下記のスイッチソケットを提供する。
スイッチソケットは、ハウジング、複数のソケット、複数の定位部品、複数の導電フレームを備え、
該ハウジングの上表面には、内部と連通する収容槽を陥没状に形成し、
該複数のソケットは、前後スライド式に、該ハウジングの収容槽内に設置し、該各ソケットは、複数の導電端子を備え、該各導電端子には、それぞれ導電ブロックを設置し、
該複数の定位部品は、該ハウジング上にそれぞれ挿入して設置し、該各定位部品の上端は上向きに、該ハウジングの収容槽内に弾性を保持して収容設置され、
該複数の導電フレームは、該ハウジング内に係合され、該導電ブロックは、該導電フレームと選択的に接触或いは離れる。
【考案の効果】
【０００６】
本考案のスイッチソケットは、ソケットをハウジングの収容槽内にスライド式に設置することで、ソケットを後方へとスライドさせると、導電ブロックと導電フレームは導通し、ソケットを前方へとスライドさせると、導電ブロックと導電フレームとは切断され、こうして別にスイッチを増設しなくても、便利に電源をオン／オフすることができる。
【図面の簡単な説明】
【０００７】
【図１】本考案スイッチソケットの立体組合せ図である。
【図２】図１に示すスイッチソケットの立体分解図である。
【図３】図２に示すスイッチソケットの上ハウジングの立体図である。
【図４】図２に示すスイッチソケットのソケットの仰視図である。
【図５】図２に示すスイッチソケットのソケット本体の立体図である。
【図６】図２に示すスイッチソケットの定位部品の立体分解図である。
【図７】図１に示すスイッチソケットの使用状態の底面図である。
【考案を実施するための形態】
【０００８】
以下に図面を参照しながら本考案を実施するための最良の形態について詳細に説明する。
【０００９】
図１、２に示すように、本考案スイッチソケット１は、ハウジング１０、複数のソケット２０、複数の定位部品３０、固定板４０、複数の導電フレーム５０を備える。ハウジング１０は、相互に合わさって一体となる上ハウジング１１としたハウジング１２を備える。
【００１０】
図２、３に示すように、上ハウジング１１は、プラスチック材料により製造し、上ハウジング１１の頂点板上から下方へ上ハウジング１１前側板へと延伸する複数の収容槽１１１を設置する。各収容槽１１１の後部は、上ハウジング１１内部へと貫通する。各収容槽１１１前部の底壁には、定位孔１１２を開設し、しかも収容槽１１１の底壁内側は、定位孔１１２周縁において、下方へと延伸する円柱状の定位筒１３を形成する。上ハウジング１１の後側板内部には、上ハウジング１１頂点板まで延伸する複数の上係合板１１４を形成する。各上係合板１１４上には、上下に延伸する上係合槽１１５を開設する。
【００１１】
上ハウジング１１は、下ハウジング１２上に蓋をし、したハウジング１２は、プラスチック材料により製造する。下ハウジング１２は、底板１２４を備える。底板１２４上には、垂直に上方へと延伸する複数のスライド板１２１を形成する。下ハウジング１２の後板内部は、下ハウジング１２の底板１２４上へと延伸する複数の下係合板１２２を形成する。各下係合板１２２と上ハウジング１１の上係合板１１４とは、相互に対応して接続する。各下係合板１２２上には、上下に延伸する下係合槽１２３を開設する。これにより、下ハウジング１２が、上ハウジング１１に対応して合わさる時、各上係合板１１４と各下係合板１２２とは、相互に対応して多数の係合板を構成し、各上係合槽１１５と各下係合槽１２３とは、相互に対応して多数の係合槽を構成する。
【００１２】
図２、４、５に示すように、複数のソケット２０は、前後にスライド式に、上ハウジング１１の収容槽１１１内に設置される。本実施例中では、３個のソケット２０が、３個の収容槽１１１内に設置される。各ソケット２０は、ソケット上蓋２１、ソケット本体２２、ソケット下蓋２３、複数の導電端子２４、複数の導電ブロック２５を備える。
【００１３】
ソケット本体２２上部は、左右両側及び後ろ側へと向かい、係合接続部２２８を延伸して形成する。ソケット本体２２頂点壁中央部には、収容設置槽２２１を開設する。ソケット本体２２は、収容設置槽２２１中央部において、ソケット本体２２を貫通する一対の端子槽２２７を下向きに開設する。ソケット本体２２前壁中央部には、プッシュ部２２２を上方へと延伸する。プッシュ部２２２の中央部には、円形の凹部２２３を設置する。ソケット本体２２は、収容設置槽２２１両側、及びソケット本体２２両側壁の下部において共に、係合保持槽２２４を開設する。ソケット本体２２底壁の前部には、第一定位槽２２５、第二定位槽２２６を上向きに開設する(図４参照)。
【００１４】
ソケット上蓋２１中央部には、各端子槽２２７に対応する１組の穿槽２１１を開設する。ソケット上蓋２１の左右両側には共に、係合ブロック２１２を延伸して形成する。ソケット上蓋２１は、収容設置槽２２１内に係合して設置する。各係合ブロック２１２と各係合保持槽２２４とは相互に係合し、こうしてソケット上蓋２１を、ソケット本体２２頂点部の収容設置槽２２１内に固定することができる。  
【００１５】
ソケット下蓋２３は、前後スライド式に、下ハウジング１２のスライド板１２１上に設置する。ソケット下蓋２３両側壁の上部は、逆フックブロック２３１を上方へと延伸して形成する。逆フックブロック２３１は、ソケット本体２２両側壁の係合保持槽２２４内に係合して保持し、これによりソケット下蓋２３は、ソケット本体２２上に係合して固定する。導電端子２４は、ソケット本体２２の端子槽２２７内に固定して連接し、各導電ブロック２５は、各導電端子２４の後部に固定して連接する。上ハウジング１１の収容槽１１１内におけるソケット２０の前後移動を通して、各導電ブロック２５は、前後スライド式に、各導電フレーム５０と接触し、或いは離れる。
【００１６】
図２、３、６に示すように、複数の定位部品３０は、定位孔１１２を貫通して、上ハウジング１１の定位筒１１３内に挿入して設置される。各定位部品３０の上端は上方へと、上ハウジング１１の収容槽１１１内に、弾力を保持して収容設置される。定位部品３０は、球体３０１、弾性部品３０２、中空柱３０３を備える。弾性部品３０２は、中空柱３０３内に係合して設置される。球体３０１は、弾性部品３０２上部に設置され、しかも球体３０１の一部は、中空柱３０３外へと突出する。
【００１７】
固定板４０は、上係合槽１１５と下係合槽１２３が相互に対応して組成する係合槽内に、係合して設置する。図に示すように、本実施例中では、固定板４０は、垂直方式により、上係合槽１１５と下係合槽１２３との間に、係合して設置される。固定板４０の表面上には、複数の固定柱４０１、及び平行に延伸する複数の組み立て板４０２を設置する。
【００１８】
複数の導電フレーム５０は、固定板４０の表面上に組立てる。各導電フレーム５０には、複数の組み立て孔５０１を設置する。各組み立て孔５０１は、各固定柱４０１上に嵌めて設置する。各組み立て板４０２は、相互に対応する上係合板１１４、下係合板１２２の両側に係合して固定し、これにより各導電フレーム５０を、ハウジング１０後部に組立てて固定することができる。
【００１９】
本考案のスイッチソケット１を組立てる際には、先ず、各導電フレーム５０を、固定板４０の表面に組立てる。次に、各導電フレーム５０と各固定板４０とを、上ハウジング１１と下ハウジング１２の係合槽内に係合する。続いて、組立てが完成した複数のソケット２０を、上ハウジング１１内部の対応する複数の収容槽１１１位置から、上ハウジング１１の収容槽１１１内へと前方へとスライドさせて設置する。収容槽１１１の後部は上ハウジング１１内部へと貫通するため、ソケット本体２２頂点部の係合接続部２２８は、収容槽１１１の後部から、上ハウジング１１内部へと進入し、前後にスライドして、収容槽１１１側壁の後端に契合する。こうして、ソケット本体２２は、上ハウジング１１から外れなくなる。
さらに、複数の定位部品３０に、定位孔１１２を通過させ、上ハウジング１１の定位筒１１３内に嵌合する。同時に、定位部品３０の球体３０１は、ソケット本体２２底部前側の第一定位槽２２５、或いは第二定位槽２２６内に、選択的に係合される。
最後に、上ハウジング１１を下ハウジング１２に合わせて蓋をし、こうしてソケット２０の導電ブロック２５は、導電フレーム５０に対応する。
【００２０】
図７に示すように、本考案スイッチソケット１の使用時に、プラグ(図示なし)を任意のソケット２０(図１参照)に挿入して接続すると、プラグと導電端子２４とは接触して通電する。さらに、後方へとソケット２０をスライドさせると、定位部品３０の球体３０１は、ソケット本体２２の第一定位槽２２５内に一部が係合するため、こうして導電ブロック２５と導電フレーム５０の接触により導通する。プラグの電源を切断しようとする時には、ソケットを前方へとスライドさせると、定位部品３０の球体３０１は、第二定位槽２２６内に一部が係合するため、こうして導電ブロック２５と導電フレーム５０とは分離され、電源が切断される。
【００２１】
上記したように、本考案スイッチソケット１は、ソケット２０の前後スライド方式により、導電ブロック２５と導電フレーム５０とを切断或いは導通させ、これにより回路の開閉を形成し、こうして別にスイッチを増設しなくても、便利に電源をオン／オフすることができる。
【符号の説明】
【００２２】
１  スイッチソケット
１０  ハウジング
１１  上ハウジング
１１１  収容槽
１１２  定位孔
１１３  定位筒
１１４  上係合板
１１５  上係合槽
１２  下ハウジング
１２１  スライド板
１２２  下係合板
１２３  下係合槽
１２４  底板
２０  ソケット
２１  ソケット上蓋
２１１  穿槽
２１２  係合ブロック
２２  ソケット本体
２２１  収容設置槽
２２２  プッシュ部
２２３  凹部
２２４  係合保持槽
２２５  第一定位槽
２２６  第二定位槽
２２７  端子槽
２２８  係合接続部
２３  ソケット下蓋
２３１  逆フックブロック
２４  導電端子
２５  導電ブロック
３０  定位部品
３０１  球体
３０２  弾性部品
３０３  中空柱
４０  固定板
４０１  固定柱
４０２  組み立て板
５０  導電フレーム
５０１  組み立て孔
【図１】
0003162908.tif 000003
【図２】
0003162908.tif 000004
【図３】
0003162908.tif 000005
【図４】
0003162908.tif 000006
【図５】
0003162908.tif 000007
【図６】
0003162908.tif 000008
【図７】
0003162908.tif 000009